(57)【要約】【課題】 画素定義層に含まれている開口部の形態を考慮して画素定義層上に配置するスペーサを含むことによって、全体面積のうちスペーサが占める比率を増やして、有機発光層に対する基板の干渉が最小化された有機発光表示装置を提供する。【解決手段】有機発光表示装置は、仮想の正四角形の中心点に位置する第１電極と、前記仮想の正四角形の前記中心点を間に置いて相互離隔した前記仮想の正四角形の第１頂点及び第２頂点それぞれに位置する第２電極と、前記仮想の正四角形の前記中心点を間に置いて相互離隔した前記仮想の正四角形の第３頂点及び第４頂点それぞれに位置する第３電極と、前記第１電極、前記第２電極、及び前記第３電極上に位置し、前記第１電極、前記第２電極、及び前記第３電極を開口する画素定義層と、前記仮想の正四角形の４辺それぞれに対応して、それぞれが前記画素定義層上に島状に位置する４個のスペーサとを含む。【選択図】図１
2019133954.tif 000002
【特許請求の範囲】
【請求項１】
仮想の正四角形の中心点に位置する第１電極と、
前記仮想の正四角形の前記中心点を間に置いて相互離隔した前記仮想の正四角形の第１頂点及び第２頂点それぞれに位置する第２電極と、
前記仮想の正四角形の前記中心点を間に置いて相互離隔した前記仮想の正四角形の第３頂点及び第４頂点それぞれに位置する第３電極と、
前記第１電極、前記第２電極、及び前記第３電極上に位置し、前記第１電極、前記第２電極、及び前記第３電極を開口する画素定義層と、
前記仮想の正四角形の４辺それぞれに対応して、それぞれが前記画素定義層上に島（ｉｓｌａｎｄ）状に位置する４個のスペーサと、
を含む、有機発光表示装置。
【請求項２】
前記画素定義層は、
前記第１電極を開口し、前記中心点に中心が一致する第１多角形状の第１開口部と、
前記第２電極を開口し、前記第１頂点及び前記第２頂点それぞれに中心が一致する第２多角形状の第２開口部と、
前記第３電極を開口し、前記第３頂点及び前記第４頂点それぞれに中心が一致する第３多角形状の第３開口部と、
を含む、請求項１に記載の有機発光表示装置。
【請求項３】
前記中心点と隣接する前記４個のスペーサそれぞれの中心と前記中心点との間は、同一の距離を有する、請求項２に記載の有機発光表示装置。
【請求項４】
前記４個のスペーサそれぞれは正四角形状を有する、請求項３に記載の有機発光表示装置。
【請求項５】
前記４個のスペーサそれぞれは、前記中心点から前記４辺それぞれに延長された方向に延長された長辺を有する長方形状である、請求項３に記載の有機発光表示装置。
【請求項６】
前記第２開口部及び前記第３開口部は、前記第１開口部に比べて大きい面積を有する、請求項２に記載の有機発光表示装置。
【請求項７】
前記第２開口部は、前記第３開口部に比べて大きい面積を有する、請求項６に記載の有機発光表示装置。
【請求項８】
前記第１多角形、前記第２多角形、及び前記第３多角形のうちの一つ以上は八角形である、請求項７に記載の有機発光表示装置。
【請求項９】
前記第１多角形は八角形であり、
前記第２多角形及び前記第３多角形のうちのいずれか一つは六角形であり、他の一つは四角形である、請求項７に記載の有機発光表示装置。
【請求項１０】
前記第１開口部は複数個であり、
前記複数個の第１開口部のうち隣接する第１開口部それぞれは、互いに対称である八角形状を有する、請求項９に記載の有機発光表示装置。
【請求項１１】
前記第１開口部と前記第２開口部の間の距離、及び前記第１開口部と前記第３開口部の間の距離それぞれは、同一の第１長さを有する、請求項１０に記載の有機発光表示装置。
【請求項１２】
前記第２開口部と前記第３開口部の間の距離は第２長さを有し、
隣接する前記第１開口部の間の距離は、前記第１長さ及び前記第２長さそれぞれに比べて長い第３長さを有する、請求項１１に記載の有機発光表示装置。
【請求項１３】
前記第１開口部に対応して前記第１電極上に位置する第１有機発光層と、
前記第２開口部に対応して前記第２電極上に位置する第２有機発光層と、
前記第３開口部に対応して前記第３電極上に位置する第３有機発光層と、
をさらに含む、請求項２に記載の有機発光表示装置。
【請求項１４】
前記第１有機発光層、前記第２有機発光層、及び前記第３有機発光層それぞれは、互いに異なる色の光を発光する、請求項１３に記載の有機発光表示装置。
【請求項１５】
前記第１有機発光層は緑色（ｇｒｅｅｎ）の光を発光し、
前記第２有機発光層及び前記第３有機発光層のうちのいずれか一つは青色（ｂｌｕｅ）の光を発光し、他の一つは赤色（ｒｅｄ）の光を発光する、請求項１４に記載の有機発光表示装置。
【発明の詳細な説明】
【技術分野】
【０００１】
本発明は、有機発光表示装置の画素配列構造に関し、より詳しくは、第１電極を開口する画素定義層上に位置するスペーサを含む有機発光表示装置に関する。
【背景技術】
【０００２】
表示装置は、イメージを表示する装置であって、最近、有機発光表示装置（ｏｒｇａｎｉｃ  ｌｉｇｈｔ  ｅｍｉｔｔｉｎｇ  ｄｉｏｄｅ  ｄｉｓｐｌａｙ）が注目されている。
【０００３】
有機発光表示装置は自体発光特性を有し、液晶表示装置（ｌｉｑｕｉｄ  ｃｒｙｓｔａｌ  ｄｉｓｐｌａｙ  ｄｅｖｉｃｅ）とは異なって、別途の光源を必要としないので、厚さと重量を減らすことができる。また、有機発光表示装置は、低い消費電力、高い輝度、及び高い反応速度などの高品位特性を示す。
【０００４】
一般に、有機発光表示装置は、第１基板、第１基板上に位置する第１電極、第１電極を開口する開口部を含む画素定義層、開口部に対応して第１電極上に位置する有機発光層、有機発光層上に位置する第２電極、及び第２電極上に位置する第２基板を含む。
【０００５】
最近、有機発光層と第２基板との間隔を増やして、第２基板による干渉を最小化するために、画素定義層上に位置するスペーサをさらに含む有機発光表示装置が開発された。
【０００６】
しかし、上述したスペーサをさらに含む従来の有機発光表示装置は、画素定義層に含まれている開口部の形態とは無関係に、単純に画素定義層上に位置する問題点があった。
【発明の概要】
【発明が解決しようとする課題】
【０００７】
本発明の一実施形態は上述した問題点に鑑みてなされたものであって、本発明の目的は、画素定義層に含まれている開口部の形態を考慮して画素定義層上に配置するスペーサを含むことによって、全体面積のうちスペーサが占める比率を増やして、有機発光層に対する基板の干渉が最小化された有機発光表示装置を提供することにある。
【課題を解決するための手段】
【０００８】
上述した目的を達成するための本発明の一側面は、仮想の正四角形の中心点に位置する第１電極と、前記仮想の正四角形の前記中心点を間に置いて相互離隔した前記仮想の正四角形の第１頂点及び第２頂点それぞれに位置する第２電極と、前記仮想の正四角形の前記中心点を間に置いて相互離隔した前記仮想の正四角形の第３頂点及び第４頂点それぞれに位置する第３電極と、前記第１電極、前記第２電極、及び前記第３電極上に位置し、前記第１電極、前記第２電極、及び前記第３電極を開口する画素定義層と、前記仮想の正四角形の４辺それぞれに対応して、それぞれが前記画素定義層上に島（ｉｓｌａｎｄ）状に位置する４個のスペーサとを含む有機発光表示装置を提供する。
【０００９】
前記画素定義層は、前記第１電極を開口し、前記中心点に中心が一致する第１多角形状の第１開口部と、前記第２電極を開口し、前記第１頂点及び前記第２頂点それぞれに中心が一致する第２多角形状の第２開口部と、前記第３電極を開口し、前記第３頂点及び前記第４頂点それぞれに中心が一致する第３多角形状の第３開口部とを含んでもよい。
【００１０】
前記中心点と隣接する前記４個のスペーサそれぞれの中心と前記中心点との間は、同一の距離を有してもよい。
【００１１】
前記４個のスペーサそれぞれは、正四角形状を有してもよい。
【００１２】
前記４個のスペーサそれぞれは、前記中心点から前記４辺それぞれに延長された方向に延長された長辺を有する長方形状であってもよい。
【００１３】
前記第２開口部及び前記第３開口部は、前記第１開口部に比べて大きい面積を有してもよい。
【００１４】
前記第２開口部は、前記第３開口部に比べて大きい面積を有してもよい。
【００１５】
前記第１多角形、前記第２多角形、及び前記第３多角形のうちの一つ以上は、八角形であってもよい。
【００１６】
前記第１多角形は八角形であり、前記第２多角形及び前記第３多角形のうちのいずれか一つは六角形であり、他の一つは四角形であってもよい。
【００１７】
前記第１開口部は複数個であり、前記複数個の第１開口部のうち隣接する第１開口部それぞれは、互いに対称である八角形状を有してもよい。
【００１８】
前記第１開口部と前記第２開口部の間の距離、及び前記第１開口部と前記第３開口部の間の距離それぞれは、同一の第１長さを有してもよい。
【００１９】
前記第２開口部と前記第３開口部の間の距離は第２長さを有し、隣接する前記第１開口部の間の距離は、前記第１長さ及び前記第２長さそれぞれに比べて長い第３長さを有してもよい。
【００２０】
前記第１開口部に対応して前記第１電極上に位置する第１有機発光層と、前記第２開口部に対応して前記第２電極上に位置する第２有機発光層と、前記第３開口部に対応して前記第３電極上に位置する第３有機発光層とをさらに含んでもよい。
【００２１】
前記第１有機発光層、前記第２有機発光層、及び前記第３有機発光層それぞれは、互いに異なる色の光を発光してもよい。
【００２２】
前記第１有機発光層は緑色（ｇｒｅｅｎ）の光を発光し、前記第２有機発光層及び前記第３有機発光層のうちのいずれか一つは青色（ｂｌｕｅ）の光を発光し、他の一つは赤色（ｒｅｄ）の光を発光してもよい。
【発明の効果】
【００２３】
上述した本発明の課題を解決するための手段の一実施形態によれば、画素定義層に含まれている開口部の形態を考慮して画素定義層上に配置するスペーサを含むことによって、全体面積のうちスペーサが占める比率を増やして、有機発光層に対する基板の干渉が最小化された有機発光表示装置が提供される。
【図面の簡単な説明】
【００２４】
【図１】本発明の第１実施形態による有機発光表示装置の平面の一部を示した図面である。
【図２】図１のＩＩ−ＩＩ線に沿った断面図である。
【図３】本発明の第２実施形態による有機発光表示装置の平面の一部を示した図面である。
【発明を実施するための形態】
【００２５】
以下、添付した図面を参照して、本発明の種々の実施形態について、本発明が属する技術分野における通常の知識を有する者が容易に実施できるように詳細に説明する。本発明は種々の異なる形態に実現でき、ここで説明する実施形態に限られない。
【００２６】
本発明を明確に説明するために説明上不必要な部分は省略し、明細書の全体にわたって同一または類似する構成要素に対しては同一の参照符号を付けた。
【００２７】
また、図面において、各構成の大きさ及び厚さは、説明の便宜のために任意に示したので、本発明が必ず示されたものに限られることではない。
【００２８】
また、明細書の全体において、ある部分がある構成要素を「含む」というとき、これは特に反対になる記載がない限り、他の構成要素を除くことではなく、他の構成要素をさらに含むことを意味する。
【００２９】
以下、図１及び図２を参照して、本発明の第１実施形態による有機発光表示装置について説明する。
【００３０】
図１は、本発明の第１実施形態による有機発光表示装置の平面の一部を示した図面である。図１は、説明の便宜のために、第１電極、画素定義層、有機発光層、及びスペーサを中心に示した。図２は、図１のＩＩ−ＩＩ線に沿った断面図である。
【００３１】
図１及び図２に示したように、本発明の第１実施形態による有機発光表示装置１０００は、第１基板ＳＵ１、回路部ＰＣ、第１電極Ｅ１、第２電極Ｅ２、第３電極Ｅ３、画素定義層ＰＤＬ、第１有機発光層ＯＬ１、第２有機発光層ＯＬ２、第３有機発光層ＯＬ３、第１スペーサＳＰ１、第２スペーサＳＰ２、第３スペーサＳＰ３、第４スペーサＳＰ４、共通電極ＣＥ、及び第２基板ＳＵ２を含む。
【００３２】
第１基板ＳＵ１は、ガラス、石英、セラミック、金属、及びプラスチックなどからなる絶縁性基板で形成される。また、第１基板ＳＵ１がプラスチックなどからなる場合、有機発光表示装置はフレキシブル（ｆｌｅｘｉｂｌｅ）な特性、ストレッチャブル（伸縮自在、ｓｔｒｅｔｃｈａｂｌｅ）、またはローラブル（曲げやすい、ｒｏｌｌａｂｌｅ）な特性を有することができる。
【００３３】
回路部ＰＣは、第１基板ＳＵ１の上に位置して、一つ以上のスキャンライン、データライン、駆動電源ライン、及び共通電源ラインなどを含む配線、一つの画素に対応して配線に連結された二つ以上の薄膜トランジスタ（ｔｈｉｎ  ｆｉｌｍ  ｔｒａｎｓｉｓｔｏｒ、ＴＦＴ）と、一つ以上のキャパシタ（ｃａｐａｃｉｔｏｒ）などの画素回路などを含んでもよい。回路部ＰＣは、公知された多様な構造を有するように形成してもよい。
【００３４】
第１電極Ｅ１は、回路部ＰＣの上に位置して、回路部ＰＣの薄膜トランジスタＴＦＴと連結されている。第１電極Ｅ１の中心領域は、仮想の正四角形ＶＳの中心点ＣＰに位置している。
【００３５】
ここで、仮想の正四角形ＶＳは、中心点ＣＰ、第１頂点Ｐ１、第２頂点Ｐ２、第３頂点Ｐ３、第４頂点Ｐ４、第１辺Ｖ１、第２辺Ｖ２、第３辺Ｖ３、及び第４辺Ｖ４を含む。詳細には、仮想の正四角形ＶＳの第１辺Ｖ１は、第１頂点Ｐ１と第３頂点Ｐ３の間を連結し、第２辺Ｖ２は、第３頂点Ｐ３と第２頂点Ｐ２の間を連結し、第３辺Ｖ３は、第２頂点Ｐ２と第４頂点Ｐ４を連結し、第４辺Ｖ４は、第４頂点Ｐ４と第１頂点Ｐ１の間を連結する。また、仮想の正四角形ＶＳの第１頂点Ｐ１及び第２頂点Ｐ２は、中心点ＣＰを間に置いて相互離隔しており、第３頂点Ｐ３及び第４頂点Ｐ４は、中心点ＣＰを間に置いて相互離隔している。言い換えれば、例えば、第１頂点Ｐ１と第２頂点Ｐ２とは中心点ＣＰを中心として対称の位置にあり、第３頂点Ｐ３と第４頂点Ｐ４とは中心点ＣＰを中心として対称の位置にある。また、第１頂点Ｐ１及び第２頂点Ｐ２それぞれと隣接して第３頂点Ｐ３及び第４頂点Ｐ４が位置している。
【００３６】
第１辺Ｖ１、第２辺Ｖ２、第３辺Ｖ３、及び第４辺Ｖ４は、同一の長さを有して、仮想の正四角形ＶＳを構成する。
【００３７】
第１電極Ｅ１は多様な多角形状を有してもよく、第１電極Ｅ１の中心領域は、画素定義層ＰＤＬの第１開口部ＯＭ１によって開口（ｏｐｅｎ）されている。
【００３８】
第２電極Ｅ２は回路部ＰＣの上に位置し、第１電極Ｅ１と離隔している。第２電極Ｅ２は、回路部ＰＣの薄膜トランジスタＴＦＴと連結されている。第２電極Ｅ２は複数個であり、複数の第２電極Ｅ２それぞれは、第１電極Ｅ１を間に置いて相互離隔している。それぞれの第２電極Ｅ２の中心領域は、仮想の正四角形ＶＳの第１頂点Ｐ１及び第２頂点Ｐ２それぞれに位置している。第２電極Ｅ２は多様な多角形状を有してもよく、第２電極Ｅ２の中心領域は、画素定義層ＰＤＬの第２開口部ＯＭ２によって開口されている。
【００３９】
第３電極Ｅ３は、第１電極Ｅ１及び第２電極Ｅ２それぞれと離隔して、回路部ＰＣの上に位置している。第３電極Ｅ３は、回路部ＰＣの薄膜トランジスタＴＦＴと連結されている。第３電極Ｅ３は複数個であり、複数個の第３電極Ｅ３それぞれは、第１電極Ｅ１を間に置いて相互離隔している。それぞれの第３電極Ｅ３の中心領域は、仮想の正四角形ＶＳの第３頂点Ｐ３及び第４頂点Ｐ４に位置している。第３電極Ｅ３は多様な多角形状を有してもよく、第３電極Ｅ３の中心領域は、画素定義層ＰＤＬの第３開口部ＯＭ３によって開口されている。
【００４０】
第２電極Ｅ２及び第３電極Ｅ３は、第１電極Ｅ１を中心に置いて仮想の正四角形ＶＳの上に配置され、第１電極Ｅ１を中心に第２電極Ｅ２及び第３電極Ｅ３が第１電極Ｅ１を取り囲んでいる。第１電極Ｅ１、第２電極Ｅ２、及び第３電極Ｅ３それぞれは、正孔注入電極として機能するアノード（ａｎｏｄｅ）電極であるか、または、カソード（ｃａｔｈｏｄｅ）電極であってもよい。第１電極Ｅ１、第２電極Ｅ２、及び第３電極Ｅ３は、光透過性電極または光反射性電極で形成されてもよい。
【００４１】
画素定義層ＰＤＬは、第１電極Ｅ１、第２電極Ｅ２、及び第３電極Ｅ３の間に対応するように位置し、第１電極Ｅ１、第２電極Ｅ２、及び第３電極Ｅ３それぞれの枠組みを覆っている。画素定義層ＰＤＬは、第１電極Ｅ１、第２電極Ｅ２、及び第３電極Ｅ３それぞれを開口する第１開口部ＯＭ１、第２開口部ＯＭ２、及び第３開口部ＯＭ３を含む。つまり、画素定義層ＰＤＬは、第１電極Ｅ１、第２電極Ｅ２、及び第３電極Ｅ３の端部を覆うように、回路部ＰＣ上の各電極間に形成されている。
【００４２】
第１開口部ＯＭ１は、第１電極Ｅ１を開口しており、八角形の第１多角形状を有している。第１開口部ＯＭ１は、第３開口部ＯＭ３及び第２開口部ＯＭ２それぞれと離隔しており、仮想の正四角形ＶＳの中心点ＣＰに中心が一致する。第１開口部ＯＭ１は、隣接する第２開口部ＯＭ２及び第３開口部ＯＭ３それぞれに比べて小さい面積を有している。第１開口部ＯＭ１は、多角形の形態のうち八角形状を有しているが、これに限定されず、三角形、四角形、五角形、六角形、七角形などの多角形状を有してもよい。第１開口部ＯＭ１は複数個であり、複数個の第１開口部ＯＭ１のうち隣接する第１開口部ＯＭ１それぞれは、互いに対称の八角形状を有している。一方、複数個の第１開口部ＯＭ１それぞれは、互いに同一の八角形状を有してもよい。第１開口部ＯＭ１によって開口された第１電極Ｅ１の上には、緑色の光を発光する第１有機発光層ＯＬ１が位置する。一方、第１開口部ＯＭ１によって開口された第１電極Ｅ１の上には、青色、赤色、または白色などの多様な色の光を発光する有機発光層が位置してもよい。
【００４３】
第２開口部ＯＭ２は、第２電極Ｅ２を開口しており、六角形の第２多角形状を有している。第２開口部ＯＭ２は、第３開口部ＯＭ３及び第１開口部ＯＭ１それぞれと離隔しており、仮想の正四角形ＶＳの第１頂点Ｐ１及び第２頂点Ｐ２それぞれに中心が一致する。第２開口部ＯＭ２は、隣接する第１開口部ＯＭ１及び第３開口部ＯＭ３それぞれに比べてさらに大きい面積を有している。第２開口部ＯＭ２は、多角形の形態のうち六角形状を有しているが、これに限定されず、三角形、四角形、五角形、七角形、八角形などの多角形状を有してもよい。第２開口部ＯＭ２は複数個であり、複数の第２開口部ＯＭ２それぞれは、互いに同一の六角形状を有している。複数個の第２開口部ＯＭ２は第１開口部ＯＭ１を介在して相互離隔している。第２開口部ＯＭ２によって開口された第２電極Ｅ２の上には、青色の光を発光する第２有機発光層ＯＬ２が位置する。一方、第２開口部ＯＭ２によって開口された第２電極Ｅ２の上には、赤色、緑色、または白色などの多様な色の光を発光する有機発光層が位置してもよい。
【００４４】
第３開口部ＯＭ３は、第３電極Ｅ３を開口しており、四角形の第３多角形状を有している。第３開口部ＯＭ３は、第１開口部ＯＭ１及び第２開口部ＯＭ２それぞれと離隔しており、仮想の正四角形ＶＳの第３頂点Ｐ３及び第４頂点Ｐ４それぞれに中心が一致する。第３開口部ＯＭ３は、隣接する第１開口部ＯＭ１に比べてさらに大きい面積を有していると同時に、隣接する第２開口部ＯＭ２に比べてさらに小さな面積を有している。第３開口部ＯＭ３は、多角形の形態のうち四角形状を有しているが、これに限定されず、三角形、五角形、六角形、七角形、八角形などの多角形状を有してもよい。第３開口部ＯＭ３は複数個であり、複数の第３開口部ＯＭ３それぞれは、互いに同一の四角形状を有している。複数の第３開口部ＯＭ３は、第１開口部ＯＭ１を介在して相互離隔している。第３開口部ＯＭ３によって開口された第３電極Ｅ３の上には、赤色の光を発光する第３有機発光層ＯＬ３が位置する。一方、第３開口部ＯＭ３によって開口された第３電極Ｅ３の上には、青色、緑色、または白色などの多様な色の光を発光する有機発光層が位置してもよい。
【００４５】
一方、上述した第１開口部ＯＭ１、第２開口部ＯＭ２、第３開口部ＯＭ３それぞれの第１多角形、第２多角形、第３多角形それぞれのうちの一つ以上は、八角形状を有してもよい。
【００４６】
第１開口部ＯＭ１、第２開口部ＯＭ２、第３開口部ＯＭ３それぞれは複数個であり、複数個の第１開口部ＯＭ１は、仮想の第１直線上に順次に配列される。例えば、仮想の第１直線は、例えば、第１頂点Ｐ１と第２頂点Ｐ２とを結ぶ直線で表される。また、複数個の第２開口部ＯＭ２及び第３開口部ＯＭ３それぞれは、仮想の第２直線上で相互交互的に配列される。例えば、仮想の第２直線は、第２頂点Ｐ２と第３頂点Ｐ３とを結ぶ直線で表される。これによって、第１頂点Ｐ１及び第２頂点Ｐ２に中心が位置する複数個の第２開口部ＯＭ２と、第３頂点Ｐ３及び第４頂点Ｐ４に中心が一致する複数個の第３開口部ＯＭ３それぞれは、仮想の正四角形ＶＳの上で第１開口部ＯＭ１を取り囲んでいる。
【００４７】
このように、仮想の正四角形ＶＳの中心点に第１開口部ＯＭ１の中心が一致し、第１頂点Ｐ１及び第２頂点Ｐ２に第２開口部ＯＭ２の中心が一致し、第３頂点Ｐ３及び第４頂点Ｐ４に第３開口部ＯＭ３の中心が一致することによって、複数の第２開口部ＯＭ２及び複数の第３開口部ＯＭ３それぞれが、仮想の正四角形ＶＳの上で第１開口部ＯＭ１を取り囲んでいると同時に、第１開口部ＯＭ１、第２開口部ＯＭ２、及び第３開口部ＯＭ３それぞれが多角形状を有しているため、第１開口部ＯＭ１と第２開口部ＯＭ２の間の距離及び第１開口部ＯＭ１と第３開口部ＯＭ３の間の距離それぞれは、同一の第１長さＬ１を有し、隣接する第２開口部ＯＭ２と第３開口部ＯＭ３の間の距離は、第１長さＬ１とは異なる第２長さＬ２を有し、隣接する第１開口部ＯＭ１の間の距離は、第１長さＬ１及び第２長さＬ２それぞれに比べて長い第３長さＬ３を有するようになる。
【００４８】
第１有機発光層ＯＬ１は、第１開口部ＯＭ１に対応して、第１電極Ｅ１の上に位置している。第１有機発光層ＯＬ１は、緑色（ｇｒｅｅｎ）の光を発光する有機物質を含み、緑色の光を発光する。
【００４９】
一方、第１有機発光層ＯＬ１は、赤色、青色、または白色の光を発光する有機物質を含んでもよく、この場合、赤色、青色、または白色の光を発光する。
【００５０】
第２有機発光層ＯＬ２は、第２開口部ＯＭ２に対応して、第２電極Ｅ２の上に位置している。第２有機発光層ＯＬ２は、青色（ｂｌｕｅ）の光を発光する有機物質を含み、青色の光を発光する。
【００５１】
一方、第２有機発光層ＯＬ２は、赤色、緑色、または白色の光を発光する有機物質を含んでもよく、この場合、赤色、緑色、または白色の光を発光する。
【００５２】
第３有機発光層ＯＬ３、は第３開口部ＯＭ１に対応して、第３電極Ｅ３の上に位置している。第３有機発光層ＯＬ３は、赤色（ｒｅｄ）の光を発光する有機物質を含み、赤色の光を発光する。
【００５３】
一方、第３有機発光層ＯＬ３は、青色、緑色、または白色の光を発光する有機物質を含んでもよく、この場合、青色、緑色、または白色の光を発光する。
【００５４】
つまり、上述した第１有機発光層ＯＬ１、第２有機発光層ＯＬ２、及び第３有機発光層ＯＬ３それぞれは、互いに異なる色の光を発光する。
【００５５】
第１スペーサＳＰ１は、仮想の正四角形ＶＳの４辺のうち第１辺Ｖ１に対応して、第１頂点Ｐ１と第３頂点Ｐ３の間に位置している。第１スペーサＳＰ１は、島状で第２開口部ＯＭ２と第３開口部ＯＭ３の間に位置しており、第１スペーサＳＰ１の中心である第１中心Ｃ１は、第１辺Ｖ１と一致する。第１スペーサＳＰ１は、中心点ＣＰから第１辺Ｖ１上の第１中心Ｃ１の方向に延長された辺と概ね平行な長辺を有する長方形状を有している。
【００５６】
第２スペーサＳＰ２は、仮想の正四角形ＶＳの４辺のうち第２辺Ｖ２に対応して、第３頂点Ｐ３と第２頂点Ｐ２の間に位置している。第２スペーサＳＰ２は、島状で第３開口部ＯＭ３と第２開口部ＯＭ２の間に位置しており、第２スペーサＳＰ２の中心である第２中心Ｃ２は、第２辺Ｖ２と一致する。第２スペーサＳＰ２は、中心点ＣＰから第２辺Ｖ２上の第２中心Ｃ２の方向に延長された辺と概ね平行な長辺を有する長方形状を有している。
【００５７】
第３スペーサＳＰ３は、仮想の正四角形ＶＳの４辺のうち第３辺Ｖ３に対応して、第２頂点Ｐ２と第４頂点Ｐ４の間に位置している。第３スペーサＳＰ３は、島状で第２開口部ＯＭ２と第３開口部ＯＭ３の間に位置しており、第３スペーサＳＰ３の中心である第３中心Ｃ３は、第３辺Ｖ３と一致する。第３スペーサＳＰ３は、中心点ＣＰから第３辺Ｖ３上の第３中心Ｃ３の方向に延長された辺と概ね平行な長辺を有する長方形状を有している。
【００５８】
第４スペーサＳＰ４は、仮想の正四角形ＶＳの４辺のうち第４辺Ｖ４に対応して、第４頂点Ｐ４と第１頂点Ｐ１の間に位置している。第４スペーサＳＰ４は、島状で第３開口部ＯＭ３と第２開口部ＯＭ２の間に位置しており、第４スペーサＳＰ４の中心である第４中心Ｃ４は、第４辺Ｖ４と一致する。第４スペーサＳＰ４は、中心点ＣＰから第４辺Ｖ４上の第４頂点Ｐ４の方向に延長された辺と概ね平行な長辺を有する長方形状を有している。
【００５９】
このように、第１スペーサＳＰ１、第２スペーサＳＰ２、第３スペーサＳＰ３、及び第４スペーサＳＰ４それぞれは、仮想の正四角形ＶＳの４辺である第１辺Ｖ１、第２辺Ｖ２、第３辺Ｖ３、及び第４辺Ｖ４それぞれに対応して、画素定義層ＰＤＬの上に島状に位置すると同時に、中心点ＣＰから第１辺Ｖ１、第２辺Ｖ２、第３辺Ｖ３、及び第４辺Ｖ４それぞれに延長された方向に長辺を有する長方形状を有することによって、第１開口部ＯＭ１、第２開口部ＯＭ２、及び第３開口部ＯＭ３それぞれの間に設定された距離に影響を与えることなく、有機発光表示装置１０００の全体面積のうち、第１スペーサＳＰ１、第２スペーサＳＰ２、第３スペーサＳＰ３、及び第４スペーサＳＰ４が占める比率が増える。つまり、第１〜第４スペーサＳＰ１〜ＳＰ４が、第１開口部ＯＭ１、第２開口部ＯＭ２、及び第３開口部ＯＭ３の間を有効に利用して形成されることで、有機発光表示装置１０００の全体面積に対するスペーサの占有比率を高めることができる。
【００６０】
第１スペーサＳＰ１、第２スペーサＳＰ２、第３スペーサＳＰ３、及び第４スペーサＳＰ４それぞれは、画素定義層ＰＤＬと同一であるか、または他の材料で形成されてもよく、有機材料、無機材料、金属、ガラスなどのうちの一つ以上を含んでもよい。
【００６１】
このように、仮想の正四角形ＶＳの中心点ＣＰと隣接する第１スペーサＳＰ１、第２スペーサＳＰ２、第３スペーサＳＰ３、及び第４スペーサＳＰ４それぞれの中心が、第１辺Ｖ１、第２辺Ｖ２、第３辺Ｖ３、及び第４辺Ｖ４それぞれと一致することによって、第１スペーサＳＰ１、第２スペーサＳＰ２、第３スペーサＳＰ３、及び第４スペーサＳＰ４それぞれの中心と中心点ＣＰとの間は、同一の距離Ｄを有する。
【００６２】
一方、本発明の第１実施形態において、第１スペーサＳＰ１、第２スペーサＳＰ２、第３スペーサＳＰ３、及び第４スペーサＳＰ４それぞれは、長方形状を有するが、本発明の他の実施形態においては、第１スペーサ、第２スペーサ、第３スペーサ、及び第４スペーサそれぞれは、三角形、五角形、六角形、七角形、八角形、九角形などの多角形状、または曲線が連結された閉ループ（ｃｌｏｓｅｄ  ｌｏｏｐ）形態を有してもよい。
【００６３】
共通電極ＣＥは、第１基板ＳＵ１全面にわたって第１有機発光層ＯＬ１、第２有機発光層ＯＬ２、及び第３有機発光層ＯＬ３の上に位置しており、それぞれは電子注入電極として機能するカソード（ｃａｔｈｏｄｅ）電極であるか、またはアノード（ａｎｏｄｅ）電極であってもよい。共通電極ＣＥは、光透過性電極または光反射性電極で形成されてもよい。
【００６４】
一方、本発明の第１実施形態において、共通電極ＣＥは、第１スペーサＳＰ１の上に位置しているが、本発明の他の実施形態においては、共通電極ＣＥは、画素定義層ＰＤＬと第１スペーサＳＰ１の間に位置してもよい。
【００６５】
第２基板ＳＵ２は、ガラス、石英、セラミック、金属、及びプラスチックなどからなる絶縁性基板で形成される。また、第２基板ＳＵ２が、第１基板ＳＵ１と共にプラスチックなどからなる場合、有機発光表示装置はフレキシブル（ｆｌｅｘｉｂｌｅ）な特性、ストレッチャブル（ｓｔｒｅｔｃｈａｂｌｅ）、またはローラブル（ｒｏｌｌａｂｌｅ）な特性を有することができる
以上のように、本発明の第１実施形態による有機発光表示装置１０００は、第１開口部ＯＭ１と第２開口部ＯＭ２の間及び第１開口部ＯＭ１と第３開口部ＯＭ３それぞれの間に、第１長さＬ１のギャップ（ｇａｐ）が形成されると同時に、隣接する第１開口部ＯＭ１の間には、第１長さＬ１に比べて長い第３長さＬ３のギャップが形成されることによって、第１開口部ＯＭ１、第２開口部ＯＭ２、及び第３開口部ＯＭ３それぞれに含まれている緑色の有機発光層、青色の有機発光層、及び赤色の有機発光層それぞれを形成するファインメタルマスクを利用した蒸着工程のとき、蒸着面積が大きいため蒸着信頼度が向上する。つまり、蒸着信頼度が向上した有機発光表示装置１０００が提供される。
【００６６】
また、本発明の第１実施形態による有機発光表示装置１０００は、複数の第２開口部ＯＭ２及び複数の第３開口部ＯＭ３それぞれが、第１開口部ＯＭ１を仮想の正四角形ＶＳの上で取り囲むように配列されることによって、第１開口部ＯＭ１、第２開口部ＯＭ２、及び第３開口部ＯＭ３それぞれの開口率を向上させることができる。これは、全体的な有機発光表示装置の製造時間及び製造費用を節減すると同時に、有機発光表示装置が表示するイメージの品質を向上させる要因として作用する。つまり、イメージ品質が向上した有機発光表示装置１０００が提供される。
【００６７】
また、本発明の第１実施形態による有機発光表示装置１０００は、第１開口部ＯＭ１、第２開口部ＯＭ２、及び第３開口部ＯＭ３のうち、他の画素に比べて寿命が短い青色の光を発光する第２開口部ＯＭ２が、第１開口部ＯＭ１及び第３開口部ＯＭ３それぞれに比べて大きい面積を有することによって、全体的な有機発光表示装置の寿命の低下が抑えられる。つまり、寿命が向上した有機発光表示装置１０００が提供される。
【００６８】
上述のように、本発明の第１実施形態による有機発光表示装置１０００は、第１開口部ＯＭ１、第２開口部ＯＭ２、及び第３開口部ＯＭ３それぞれが、単純に八角形、六角形、及び四角形それぞれなどの多角形状を有することではなく、有機発光表示装置１０００の固有の製造特性である有機発光層の蒸着工程を考慮して、ファインメタルマスクを利用した蒸着工程のとき、有機発光層の蒸着信頼度を向上させると同時に、第１開口部ＯＭ１、第２開口部ＯＭ２、及び第３開口部ＯＭ３それぞれの開口率を向上させるために、仮想の正四角形ＶＳの中心点ＣＰに第１開口部ＯＭ１の中心を一致させ、第１頂点Ｐ１及び第２頂点Ｐ２それぞれに第２開口部ＯＭ２の中心を一致させ、第３頂点Ｐ３及び第４頂点Ｐ４それぞれに第３開口部ＯＭ３の中心を一致させる。
【００６９】
つまり、有機発光層の蒸着信頼度を向上させ、有機発光層の寿命を考慮すると同時に、第１開口部ＯＭ１、第２開口部ＯＭ２、及び第３開口部ＯＭ３それぞれの開口率を向上させる八角形の第１開口部ＯＭ１、六角形の第２開口部ＯＭ２、及び四角形の第３開口部ＯＭ３を含む有機発光表示装置１０００が提供される。
【００７０】
また、本発明の第１実施形態による有機発光表示装置１０００は、上述した第１開口部ＯＭ１、第２開口部ＯＭ２、及び第３開口部ＯＭ３の形態を考慮して、第１スペーサＳＰ１、第２スペーサＳＰ２、第３スペーサＳＰ３、及び第４スペーサＳＰ４それぞれが、仮想の正四角形ＶＳの第１辺Ｖ１、第２辺Ｖ２、第３辺Ｖ３、及び第４辺Ｖ４それぞれに対応して島状に位置し、第１開口部ＯＭ１の中心が一致する中心点ＣＰと、第１スペーサＳＰ１、第２スペーサＳＰ２、第３スペーサＳＰ３、及び第４スペーサＳＰ４それぞれの中心が、同一の距離Ｄを有することによって、第１スペーサＳＰ１、第２スペーサＳＰ２、第３スペーサＳＰ３、及び第４スペーサＳＰ４それぞれが、第１開口部ＯＭ１、第２開口部ＯＭ２、及び第３開口部ＯＭ３それぞれの間に設定された距離に影響を与えないと同時に、有機発光表示装置１０００の全体面積のうち、第１スペーサＳＰ１、第２スペーサＳＰ２、第３スペーサＳＰ３、及び第４スペーサＳＰ４が占める比率が増えるので、第１有機発光層ＯＬ１、第２有機発光層ＯＬ２、及び第３有機発光層ＯＬ３それぞれに対する第２基板ＳＵ２の干渉を最小化する。
【００７１】
このように、本発明の第１実施形態による有機発光表示装置１０００は、有機発光層の蒸着信頼度向上、有機発光層の寿命向上、第１開口部ＯＭ１、第２開口部ＯＭ２、及び第３開口部ＯＭ３それぞれの開口率向上を考慮して、八角形の第１開口部ＯＭ１、六角形の第２開口部ＯＭ２、及び四角形の第３開口部ＯＭ３を含むと同時に、このような第１開口部ＯＭ１、第２開口部ＯＭ２、及び第３開口部ＯＭ３の形態を考慮して、第１スペーサＳＰ１、第２スペーサＳＰ２、第３スペーサＳＰ３、及び第４スペーサＳＰ４を含むことによって、有機発光層の蒸着信頼度が向上し、有機発光層の寿命が向上し、第１開口部ＯＭ１、第２開口部ＯＭ２、及び第３開口部ＯＭ３それぞれの開口率が向上すると同時に、全体的な機構信頼度が向上する。
【００７２】
以下、図３を参照して、本発明の第２実施形態による有機発光表示装置について説明する。
【００７３】
以下、第１実施形態と区別される特徴的な部分だけを抜粋して説明し、説明が省略された部分は第１実施形態による。そして、本発明の第２実施形態では、説明の便宜のために、同一の構成要素に対しては本発明の第１実施形態と同一の参照番号を用いて説明する。
【００７４】
図３は、本発明の第２実施形態による有機発光表示装置の平面の一部を示した図面である。
【００７５】
図３に示したように、本発明の第２実施形態による有機発光表示装置１００２の第１スペーサＳＰ１、第２スペーサＳＰ２、第３スペーサＳＰ３、及び第４スペーサＳＰ４それぞれは、正四角形状を有している。
【００７６】
第１スペーサＳＰ１、第２スペーサＳＰ２、第３スペーサＳＰ３、及び第４スペーサＳＰ４それぞれは、仮想の正四角形ＶＳの４辺である第１辺Ｖ１、第２辺Ｖ２、第３辺Ｖ３、及び第４辺Ｖ４それぞれに対応して、画素定義層ＰＤＬの上に島状に位置すると同時に、それぞれの中心が第１辺Ｖ１、第２辺Ｖ２、第３辺Ｖ３、及び第４辺Ｖ４それぞれに一致する。
【００７７】
このように、本発明の第２実施形態による有機発光表示装置１００２は、有機発光層の蒸着信頼度向上、有機発光層の寿命向上、第１開口部ＯＭ１、第２開口部ＯＭ２、及び第３開口部ＯＭ３それぞれの開口率向上を考慮して、八角形の第１開口部ＯＭ１、六角形の第２開口部ＯＭ２、及び四角形の第３開口部ＯＭ３を含むと同時に、このような第１開口部ＯＭ１、第２開口部ＯＭ２、及び第３開口部ＯＭ３の形態を考慮して、第１スペーサＳＰ１、第２スペーサＳＰ２、第３スペーサＳＰ３、及び第４スペーサＳＰ４を含むことによって、有機発光層の蒸着信頼度が向上し、有機発光層の寿命が向上し、第１開口部ＯＭ１、第２開口部ＯＭ２、及び第３開口部ＯＭ３それぞれの開口率が向上すると同時に、全体的な機構信頼度が向上する。
【００７８】
以上、本発明について上述した好ましい実施形態を通じて説明したが、本発明はこれに限定されず、次に記載する特許請求の範囲の概念と範囲を逸脱しない限り、多様な修正及び変形が可能であるということを、本発明が属する技術分野における者であれば容易に理解するはずである。
【符号の説明】
【００７９】
Ｅ１  第１電極
Ｅ２  第２電極
Ｅ３  第３電極
ＰＤＬ  画素定義層
ＳＰ１、ＳＰ２、ＳＰ３、ＳＰ４  スペーサ
【図１】
2019133954.tif 000003
【図２】
2019133954.tif 000004
【図３】
2019133954.tif 000005
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
仮想の四角形の中心点の近くに位置する第１電極；
前記仮想の四角形の４つの頂点にそれぞれ位置する４つの第２電極、前記第２電極は互いに離隔しており、前記第２電極のそれぞれは前記第１電極と離隔しており；
前記第１電極と前記第２電極の一部分の上に位置し、前記第１電極と部分的に重なっている第１開口部、前記第２電極とそれぞれ部分的に重なっている４つの第２開口部を含む画素定義層；そして
前記仮想の四角形の４辺それぞれに対応する位置で前記画素定義層上に位置し、互いに離隔している４つのスペーサを含み、
前記４つの第２開口部のうちの２つは互いに面積が異なることを特徴とする有機発光表示装置。
【請求項２】
前記第１開口部はその中心が前記仮想の四角形の中心点と一致する第１多角形状を有し、
前記第２開口部はその中心が前記仮想の四角形の各頂点と一致する多角形状を有することを特徴とする請求項１に記載の有機発光表示装置。
【請求項３】
前記第１開口部は八角形状であることを特徴とする請求項２に記載の有機発光表示装置。
【請求項４】
前記第１開口部の平面積は前記第２開口部それぞれの平面積より小さいことを特徴とする請求項３に記載の有機発光表示装置。
【請求項５】
前記仮想の四角形の中心点と前記４つのスペーサそれぞれとの間の距離は互いに同一であることを特徴とする請求項２に記載の有機発光表示装置。
【請求項６】
前記スペーサそれぞれは四角形状であることを特徴とする請求項５に記載の有機発光表示装置。
【請求項７】
前記第１多角形は八角形であり、前記第２多角形は六角形と四角形を含むことを特徴とする請求項２に記載の有機発光表示装置。
【請求項８】
前記第１開口部と前記４つの開口部それぞれとの間の距離は互いに同一である第１距離であることを特徴とする請求項７に記載の有機発光表示装置。
【請求項９】
前記４つの第２開口部のうちの互いに隣接した第２開口部同士の距離は互いに同一である第２距離であることを特徴とする請求項８に記載の有機発光表示装置。
【請求項１０】
前記第１開口部に対応する前記第１電極上に位置する第１有機発光層、そして
前記第２開口部に対応する前記第２電極上に位置する第２有機発光層をさらに含むことを特徴とする請求項２に記載の有機発光表示装置。
【請求項１１】
前記第１有機発光層は第１色を発光し、
前記第２有機発光層は前記第１色と異なる第２色、そして前記第１色および前記第２色と異なる第３色を発光し、
前記第１色は緑色であり、前記第２色と前記第３色は青色と赤色であることを特徴とする請求項１０に記載の有機発光表示装置。
【請求項１２】
前記第１開口部は八角形状であることを特徴とする請求項１に記載の有機発光表示装置。
【請求項１３】
前記第１開口部の平面積は前記第２開口部それぞれの平面積より小さいことを特徴とする請求項１２に記載の有機発光表示装置。
【請求項１４】
前記第２多角形は六角形と四角形を含むことを特徴とする請求項１３に記載の有機発光表示装置。
【請求項１５】
前記仮想の四角形の中心点と前記４つのスペーサそれぞれとの間の距離は互いに同一であることを特徴とする請求項１３に記載の有機発光表示装置。
【請求項１６】
前記スペーサそれぞれは四角形状であることを特徴とする請求項１に記載の有機発光表示装置。
【請求項１７】
前記第１開口部と前記４つの開口部それぞれとの間の距離は互いに同一である第１距離であり、
前記４つの第２開口部のうちの互いに隣接した第２開口部同士の距離は互いに同一である第２距離であることを特徴とする請求項１６に記載の有機発光表示装置。
【請求項１８】
前記第１開口部に対応する前記第１電極上に位置する第１有機発光層、そして
前記第２開口部に対応する前記第２電極上に位置する第２有機発光層をさらに含み、
前記第１有機発光層は第１色を発光し、
前記第２有機発光層は前記第１色と異なる第２色、そして前記第１色および前記第２色と異なる第３色を発光し、
前記第１色は緑色であり、前記第２色と前記第３色は青色と赤色であることを特徴とする請求項１７に記載の有機発光表示装置。
【請求項１９】
仮想の四角形の中心点の近くに位置する第１電極；
前記仮想の四角形の４つの頂点にそれぞれ位置する４つの第２電極、前記第２電極は互いに離隔しており、前記第２電極それぞれは前記第１電極と離隔しており；
前記第１電極と前記第２電極の一部分の上に位置し、前記第１電極と部分的に重なっている第１開口部、前記第２電極とそれぞれ部分的に重なっている４つの第２開口部を含む画素定義層；そして
前記仮想の四角形の４辺それぞれに対応する位置で前記画素定義層上に位置し、互いに離隔している４つのスペーサを含み、
前記第１開口部の平面積は前記第２開口部それぞれの平面積より小さいことを特徴とする有機発光表示装置。
【請求項２０】
仮想の四角形の中心点の近くに位置する第１電極；
前記仮想の四角形の４つの頂点にそれぞれ位置する４つの第２電極、前記第２電極は互いに離隔しており、前記第２電極のそれぞれは前記第１電極と離隔しており；
前記第１電極と前記第２電極の一部分の上に位置し、前記第１電極と部分的に重なっている第１開口部、前記第２電極とそれぞれ部分的に重なっている４つの第２開口部を含む画素定義層；そして
前記仮想の四角形の４辺それぞれに対応する位置で前記画素定義層上に位置し、互いに離隔している４つのスペーサを含み、
前記第１開口部は八角形状であることを特徴とする有機発光表示装置。